(57)【要約】【課題】陳列用台紙を短時間につくることができて、商品陳列までに要する時間を短縮できるとともに、吊下索による破断を防止できるようにすること。【解決手段】台紙本体１２に陳列物を支持するための孔１６を備える。台紙本体１２の上端に設けた吊下索１４によって台紙本体１２が吊下されるようにする。台紙本体１２の上端に掛け止めシート１３を設け、その掛け止めシート１３の折り畳み状態においてその内部に吊下索１４を掛止めする。【選択図】図１
0003199675.tif 000002
【実用新案登録請求の範囲】
【請求項１】
陳列物支持部を備え、台紙本体の上端に設けた吊下索によって吊下されるようにした陳列用台紙において、
前記台紙本体の上端に折り畳み部を設け、その折り畳み部内に前記吊下索を掛け止めした陳列用台紙。
【請求項２】
前記台紙本体にその台紙本体とは異なる別紙を貼り付け、その別紙を折り畳んで折り畳み部とした請求項１に記載の陳列用台紙。
【請求項３】
前記折り畳み部を台紙本体と一体に形成した請求項１に記載の陳列用台紙。
【請求項４】
台紙本体の両幅端部を裏面側に折り返して折り曲げ部を形成し、その両折り曲げ部の間に前記折り畳み部を配置した請求項１〜３のうちのいずれか一項に記載の陳列用台紙。
【請求項５】
折り畳み部に透孔を形成した請求項１〜４のうちのいずれか一項に記載の陳列用台紙。
【考案の詳細な説明】
【技術分野】
【０００１】
本考案は、商品等を販売等のために陳列することに用いられる陳列用台紙に関するものである。
【背景技術】
【０００２】
この種の陳列用台紙が例えば特許文献１に開示されている。この特許文献１の開示から明らかなように、従来の陳列用台紙は、台紙本体に孔を穿ち、その孔に紐等の吊下索を通して、この吊下索を壁面のフック等に掛けて、陳列用台紙を吊下するようにしていた。
【先行技術文献】
【特許文献】
【０００３】
【特許文献１】特開２０１１−９２２６９号公報
【考案の概要】
【考案が解決しようとする課題】
【０００４】
従って、従来の陳列用台紙は、孔に吊下索を通すのに手間がかかり、例えば小売店等における開店前の限られた時間しかないにも関わらず、商品陳列のために、陳列用台紙をつくることに時間と手間がかかり、煩雑であった。しかも、吊下索により孔の内周面上部に集中応力が発生して、台紙が応力集中部を起点にして破断されるおそれもあった。
【０００５】
本考案の目的は、商品陳列までに要する時間を短縮できる陳列用台紙を提供することにある。
【課題を解決するための手段】
【０００６】
上記の目的を達成するために、本考案は、陳列物支持部を備え、台紙本体の上端に設けた吊下索によって吊下されるようにした陳列用台紙において、前記台紙本体の上端に折り畳み部を設け、その折り畳み部内に前記吊下索を掛け止めしたことを特徴とする。
【０００７】
以上の構成においては、折り畳み部内に吊下索を掛け止めすればよく、吊下索を孔に通す必要はない。従って、吊下索の掛け止めを容易に行なうことができる。
【考案の効果】
【０００８】
以上のように、本考案によれば、台紙本体への吊下索を取付ける作業が容易になって、その作業を短時間で行ない得るという効果を発揮する。
【図面の簡単な説明】
【０００９】
【図１】陳列用台紙の斜視図。
【図２】台紙本体と掛け止めシートとを示す斜視図。
【図３】掛け止めシートの部分を示す一部斜視図。
【図４】掛け止めシートを折曲げた状態を示す一部斜視図。
【図５】掛け止めシートを折曲げた状態を示す一部断面図。
【図６】変更例を示す一部斜視図。
【考案を実施するための形態】
【００１０】
以下に、本考案を具体化した実施形態を図面に従って説明する。
図１に示すように、本実施形態の陳列用台紙１１は、台紙本体１２と、折り畳み部としての掛け止めシート１３と、吊下索１４とを備え、吊下索１４には金具１５が設けられている。そして、金具１５が壁面のフック（図示しない）等に掛けられることにより、陳列用台紙１１が吊下索１４を介して吊下される。
【００１１】
前記台紙本体１２には陳列物支持部としての複数の孔１６が透設されており、この孔１６に商品を掛けるための掛け具１７が着脱可能に取り付けられる。
図２及び図３に示すように、台紙本体１２の両幅端部には裏面側に折り曲げられて、接着剤による接着や粘着剤による粘着によりその折り曲げ状態に固定化された折り曲げ部１８が形成されている。この折り曲げ部１８により、台紙本体１２が補強されている。
【００１２】
前記両折り曲げ部１８問において、台紙本体１２の裏面上端には折り畳み部を構成する別紙としての掛け止めシート１３がその下半部において粘着シート（図示しない）により貼着されている。掛け止めシート１３の端部には透孔としての孔２０が透設されている。
【００１３】
図４及び図５に示すように、掛け止めシート１３は折り曲げ線２１の位置において上下に２つ折りに折り畳まれている。掛け止めシート１３の裏面には、掛け止めシート１３を折り畳み状態に貼着保持するための粘着シート２２が貼着されている。そして、２つ折り状態に折り畳まれた掛け止めシート１３の折り曲げ線２１の位置において掛け止めシート１３内に前記吊下索１４が掛け止められている。
【００１４】
次に、実施形態の作用を説明する。
本実施形態の陳列用台紙１１は、この陳列用台紙１１の流通段階では、台紙本体１２，掛け止めシート１３，吊下索１４，金具１５及び掛け具１７がそれぞれ組付けられることなく、単独状態でビニール袋等に１セットとしてまとめて梱包されている。
【００１５】
陳列用台紙１１を陳列のために使用する場合は、台紙本体１２の上端に掛け止めシート１３を粘着シートによって貼着するとともに、吊下索１４を内部に挟んだ状態において掛け止めシート１３を２つ折りにして、粘着シート２２の貼着により掛け止めシート１３をその２つ折りの状態に維持する。
【００１６】
そして、吊下索１４に金具１５を取り付けて、その金具１５により、陳列用台紙１１を壁面のフック等に吊下することができる。さらに、台紙本体１２の孔１６に掛け具１７を掛け止めしてその掛け具１７に陳列対象の商品を掛ければ、その商品を陳列することができる。
【００１７】
なお、掛け止めシート１３を２つ折りにすることなく、つまり、吊下索１４を設けることなく、掛け止めシート１３の孔２０を利用して陳列用台紙１１を壁面のフック等に直接吊下することも可能である。
【００１８】
本実施形態においては、以下の効果がある。
（１）台紙本体１２の上端に掛け止めシート１３を貼着して、その掛け止めシート１３に折り畳み部１３１を設け、その折り畳み部１３１内に吊下索１４を掛止めしたことにより、前述した従来の陳列用台紙とは異なり、孔に吊下索を通すような面倒な作業は不要になる。従って、例えば、開店前の準備作業、つまり陳列用台紙１１をつくる作業を短時間で容易に行なうことができる。また、吊下索１４により孔の内周面に集中応力が作用することはなくなり、孔の内周面を起点とした破断が生じるようなおそれはない。
【００１９】
（２）台紙本体１２に別紙である掛け止めシート１３を貼り付け、その掛け止めシート１３を折り畳んでいるため、掛け止めシート１３に吊下索１４を容易に取り付けることができるとともに、前記のように、応力集中による破断を回避できる。
【００２０】
（３）台紙本体１２の両幅端部を折り曲げ部１８によって裏面側に折り返して重ね合わせたことにより、台紙本体１２の強度を向上できる。そして、その折り曲げ部１８の問に前記掛け止めシート１３を配置したことにより、掛け止めシート１３を台紙本体１２の幅方向の中央部に目測で簡単に配置できる。また、掛け止めシート１３が左右の折り曲げ部１８によって形成される凹部内に位置するため、掛け止めシート１３の台紙本体１２の裏面側からの突出量が少なくなり、壁の角部等に対する掛け止めシート１３の外縁部等の引っ掛かりが少なくなる。従って、掛け止めシート１３の剥がれや、コーナ部の爛れ等を防止できる。
【００２１】
（４）折り畳み部１３１に孔２０を形成したことにより、吊下索１４を使用しなくても陳列用台紙１１を陳列に供することができる。従って、陳列用台紙１１の陳列条件に対する汎用性を向上できる。
【００２２】
なお、本発明は、前記実施形態に限定されるものではなく、以下のような態様で具体化することも可能である。
・図６に示すように、折り畳み部１３１を台紙本体１２と一体に形成すること。このように構成すれば、掛け止めシート１３が不要になり、部品点数を少なくすることができる。
【００２３】
・金具１５を省略して、吊下索１４を壁面のフック等に直接吊下すること。このようにすれば、部品点数を少なくすることができる。
・掛け具１７を省略して、商品を孔２０に直接に掛けること。このようにしても、部品点数を少なくすることができる。
【００２４】
・前記掛け具１７として、別の構成のものを用いること。例えば、掛け具１７として前方に突出する棒状のものを用いること。
・台紙本体１２の左右の折り曲げ部１８を省略すること。
【００２５】
・台紙本体１２の孔１６を省略すること。このように構成した場合は、台紙本体１２の前面に掛け具１７等が接着剤で貼着される。
【符号の説明】
【００２６】
１１…陳列用台紙、１２…台紙本体、１３…掛け止めシート、１４…吊下索、１８…折り曲げ部、１３１…折り畳み部。
【図１】
0003199675.tif 000003
【図２】
0003199675.tif 000004
【図３】
0003199675.tif 000005
【図４】
0003199675.tif 000006
【図５】
0003199675.tif 000007
【図６】
0003199675.tif 000008